(57)【要約】【課題】緊急時にバッテリ劣化により使用できないという不都合を解消することのできる生体情報モニタを提供すること。【解決手段】商用電源と接続可能な生体情報モニタは、ユーザによるバッテリ（二次電池）の使用方法およびバッテリの状態の少なくとも一方を特定するための特定情報に基づいて、バッテリが劣化しているか否かを判定し（ステップＳ２０４，Ｓ２０６，Ｓ２０８，Ｓ２１０）、劣化していると判定された場合に、ユーザにバッテリの劣化を報知する（ステップＳ２１２）。特定情報には、バッテリの使用期間、使用頻度、充放電サイクル数、駆動可能時間の減少率のうちの少なくともいずれかが含まれる。【選択図】図１２
2010200896.tif 000002
【特許請求の範囲】
【請求項１】
商用電源と接続可能な生体情報モニタであって、
二次電池を含む電源手段と、
前記商用電源または前記二次電池の電力を駆動源として、生体情報を測定するための測定手段と、
ユーザによる前記二次電池の使用方法および前記二次電池の状態の少なくとも一方を特定するための特定情報を検出するための検出処理手段とを備え、
前記特定情報は、少なくとも、前記二次電池の使用期間および使用頻度を含み、
前記特定情報に基づいて、前記二次電池が劣化しているか否かを判定するための判定手段と、
前記判定手段による判定結果をユーザに報知するための報知手段とをさらに備える、生体情報モニタ。
【請求項２】
前記特定情報は、さらに、前記二次電池の充放電のサイクル数、および、前記二次電池の駆動可能時間の減少率の少なくとも一方を含む、請求項１に記載の生体情報モニタ。
【請求項３】
前記特定情報に基づいて、前記二次電池の使用方法が適切であるか否かを評価するための評価処理手段をさらに備え、
前記報知手段は、前記評価処理手段により適切でないと評価された場合に、推奨される使用方法をさらに報知する、請求項１または２に記載の生体情報モニタ。
【請求項４】
前記二次電池は、リチウム電池であり、
前記評価処理手段は、前記二次電池の使用頻度が所定頻度以下の場合に、使用方法が適切でないと判定する、請求項３に記載の生体情報モニタ。
【請求項５】
前記二次電池は、ニッケル水素電池であり、
前記特定情報は、さらに、前記二次電池の充電開始時の残容量のデータを含み、
前記評価処理手段は、前記二次電池の充電開始時の残容量が所定の閾値以上の場合に、使用方法が適切でないと判定する、請求項３に記載の生体情報モニタ。
【請求項６】
前記二次電池は、鉛蓄電池であり、
前記特定情報は、さらに、前記二次電池の充電開始時の残容量のデータを含み、
前記評価処理手段は、前記二次電池の充電開始時の残容量が所定の閾値未満の場合に、使用方法が適切でないと判定する、請求項３に記載の生体情報モニタ。
【発明の詳細な説明】
【技術分野】
【０００１】
本発明は、生体情報モニタに関し、特に、バッテリ駆動にて使用される環境においてバッテリの劣化を検知しユーザに報知する生体情報モニタに関する。
【背景技術】
【０００２】
病院で使用する生体情報モニタには、患者搬送など移動時にも使用可能とするためにバッテリが搭載されていることが多い。バッテリの残量を知らせる機能はモニタについているため、残量が少なくなればアラームでユーザに充電を促すことは行っている。
【０００３】
医療以外の分野では、二次電池のユーザに、二次電池が不良品かどうかの情報を提供する発明が存在する（特許文献１）。
【先行技術文献】
【特許文献】
【０００４】
【特許文献１】特開２００７−２２１９００号公報
【発明の概要】
【発明が解決しようとする課題】
【０００５】
しかし、バッテリは使用環境（ユーザによる使用特性）によって劣化の進行度合いが大きく異なる。そのため、満充電状態にしておいても、バッテリが劣化していることに気づいていない場合、いざという時にすぐに使用できない。そのような場合、患者のバイタル監視が行えなくなってしまい、緊急で代替器を準備したりするなどの対応に追われ、患者の安全を確保できなくなる可能性がある。
【０００６】
本発明は、上記のような問題を解決するためになされたものであって、その目的は、緊急時にバッテリ劣化により使用できないという不都合を解消することのできる生体情報モニタを提供することである。
【課題を解決するための手段】
【０００７】
この発明のある局面に従う生体情報モニタは、商用電源と接続可能な生体情報モニタであって、二次電池を含む電源手段と、商用電源または二次電池の電力を駆動源として、生体情報を測定するための測定手段と、ユーザによる二次電池の使用方法および二次電池の状態の少なくとも一方を特定するための特定情報を検出するための検出処理手段とを備え、特定情報は、少なくとも、二次電池の使用期間および使用頻度を含み、特定情報に基づいて、二次電池が劣化しているか否かを判定するための判定手段と、判定手段による判定結果をユーザに報知するための報知手段とをさらに備える。
【０００８】
好ましくは、特定情報は、さらに、二次電池の充放電のサイクル数、および、二次電池の駆動可能時間の減少率の少なくとも一方を含む。
【０００９】
好ましくは、特定情報に基づいて、二次電池の使用方法が適切であるか否かを評価するための評価処理手段をさらに備え、報知手段は、評価処理手段により適切でないと評価された場合に、推奨される使用方法をさらに報知する。
【００１０】
好ましくは、二次電池は、リチウム電池であり、評価処理手段は、二次電池の使用頻度が所定頻度以下の場合に、使用方法が適切でないと判定する。
【００１１】
好ましくは、二次電池は、ニッケル水素電池であり、特定情報は、さらに、二次電池の充電開始時の残容量のデータを含み、評価処理手段は、二次電池の充電開始時の残容量が所定の閾値以上の場合に、使用方法が適切でないと判定する。
【００１２】
好ましくは、二次電池は、鉛蓄電池であり、特定情報は、さらに、二次電池の充電開始時の残容量のデータを含み、評価処理手段は、二次電池の充電開始時の残容量が所定の閾値未満の場合に、使用方法が適切でないと判定する。
【発明の効果】
【００１３】
本発明によると、緊急時にバッテリ劣化により使用できないという不都合を解消することができる。
【図面の簡単な説明】
【００１４】
【図１】本発明の実施の形態に係る生体情報モニタの外観の具体例を示す図である。
【図２】本発明の実施の形態に係る生体情報モニタの構成の具体例を示すブロック図である。
【図３】本発明の実施の形態における使用特性検出処理を示すフローチャートである。
【図４】電池交換時の記録処理を示すフローチャートである。
【図５】使用頻度計測処理を示すフローチャートである。
【図６】充放電サイクル数計測処理を示すフローチャートである。
【図７】記憶部に記憶されるバッテリ関連情報の内容例を示す図である。
【図８】バッテリ関連情報に含まれる新品情報のデータ構造例を示す図である。
【図９】バッテリ関連情報に含まれる頻度情報のデータ構造例を示す図である。
【図１０】バッテリ関連情報に含まれる充放電情報のデータ構造を示す図である。
【図１１】本発明の実施の形態において、電源が投入されている際の生体情報モニタの動作を示すフローチャートである。
【図１２】本発明の実施の形態における報知処理を示すフローチャートである。
【図１３】図１２のステップＳ２１２において表示されるメッセージの具体例を示す図である。
【図１４】図１２のステップＳ２１６において表示されるメッセージの具体例を示す図である。
【図１５】本発明の実施の形態の変形例１における報知処理を示すフローチャートである。
【図１６】図１５のステップＳ２１６Ａにおいて表示されるメッセージの具体例を示す図である。
【図１７】本発明の実施の形態の変形例２における報知処理を示すフローチャートである。
【図１８】図１７のステップＳ２１６Ｂにおいて表示されるメッセージの具体例を示す図である。
【発明を実施するための形態】
【００１５】
本発明の実施の形態について図面を参照しながら詳細に説明する。なお、図中同一または相当部分には同一符号を付してその説明は繰返さない。
【００１６】
［実施の形態１］
＜構成について＞
図１を参照して、本実施の形態にかかる生体情報モニタ（以下、モニタと略する）１は、生体情報として、血圧（最高血圧値および／または最低血圧値など）、酸素飽和度、心電（心電図）、体温を計測するものとする。
【００１７】
モニタ１には、生体情報としての心電を計測するための電極２、酸素飽和度を計測するためのＳｐＯ２センサ３、体温を計測するための体温プローブ４、および、血圧を計測するための腕帯５が接続される。また、モニタ１には、商用電源（コンセント）に抜き差し可能なプラグ８が接続される。
【００１８】
モニタ１の表面には、ユーザからの指示を受け付けるための操作部１０と、計測結果などを表示するための表示部４０と、光を出力するためのＬＥＤ（Light Emitting Diode）５０とが配置される。操作部１０は、電源のＯＮ／ＯＦＦを指示するための電源スイッチ１０Ａが含まれる。表示部４０は、たとえばＬＣＤ（Liquid Crystal Display）により構成される。
【００１９】
図２を参照して、モニタ１は、上記操作部１０、表示部４０、ＬＥＤ５０に加え、生体情報計測部２０と、警告音を出力するためのブザー５１と、現在日時を計測するための計時部５２と、計測結果やプログラム等を記憶する記憶部６０と、通信部７０と、電源部８０と、各種の演算処理を行なうためのＣＰＵ９０（Central Processing Unit）とを含む。
【００２０】
ＣＰＵ９０は操作部１０から入力される操作信号に基づいて記憶部６０に記憶されているプログラムを読出して実行し、それに伴って制御信号を生成して各部に出力することによって、全体を制御する。
【００２１】
生体情報計測部２０は、さらに、腕帯５に接続されて腕帯５内の空気袋の圧力変化に基づいて血圧を計測するための血圧計測部２１、ＳｐＯ２センサ３に接続されてＳｐＯ２センサ３からのセンサ信号に基づいて酸素飽和度を計測するための酸素飽和度計測部２２、電極２に接続されて電極２間の電位差に基づいて心電を計測するための心電計測部２３、および、体温プローブ４に接続されて体温プローブ４からの信号に基づいて体温を計測するための体温計測部２４を含む。なお、これら計測部の具体的な構成は、いずれも本発明において特定の構成に限定されず、すでに広く用いられている構成を採用することができる。生体情報計測部２０は、ＣＰＵ９０からの制御信号に従って、上記計測部のうち指定された計測部において生体情報を計測し、計測結果をＣＰＵ９０に入力する。
【００２２】
電源部８０は、電源制御部８１と、バッテリ（二次電池）８２とを含む。電源制御部８１は、プラグ８（図１）を介して商用電源８３と接続可能であり、プラグ８がコンセントに差し込まれている場合は、商用電源８３からの交流電流を入力する。電源制御部８１は、入力した交流電流をＣＰＵ９０に供給する。電源制御部８１は、さらに、バッテリ８２の充電を制御する。
【００２３】
なお、生体情報計測部２０の機能は、ＣＰＵ９０が、記憶部６０に格納されたソフトウェアを実行することにより実現されてもよい。
【００２４】
また、ＣＰＵ９０は、その機能として、検出処理部９２、劣化判定部９３および評価部９４を含む。
【００２５】
検出処理部９２は、ユーザによるバッテリ８２の使用方法（使用特性）およびバッテリ８２の状態の少なくとも一方を特定するための情報（以下「使用特性情報」という）を検出する。使用特性情報は、少なくも、バッテリ８２の使用期間および使用頻度を含むことが好ましい。使用特性情報は、バッテリ８２の充放電のサイクル数、バッテリ８２の駆動可能時間の減少率、および／または、バッテリ８２の充電開始時の残容量をさらに含んでよい。
【００２６】
なお、「駆動可能時間」は、連続放電可能時間と言い換えることができる。また、「駆動可能時間の減少率」とは、新品時と比較した駆動可能時間の変化を表わす情報である。ユーザのバッテリ８２の使用方法によりこのような駆動可能時間の減少率は異なるので、駆動可能時間の減少率も、使用特性情報に含まれる。
【００２７】
検出処理部９２は、このような使用特性情報を検出するために、所定のタイミングで、バッテリ８２に関連する各種情報を取得し、それらの情報を記憶部６０の所定の領域に記憶する。本実施の形態において、記憶部６０の所定の領域に記憶される情報を、「バッテリ関連情報」という。バッテリ関連情報のデータ構造例については後述する。
【００２８】
劣化判定部９３は、検出処理部９２により検出された使用特性情報に基づいて、バッテリ８２が劣化しているか否かを判定する。具体的には、使用期間、使用頻度、充放電サイクル数、駆動可能時間の減少率、充電開始時の残容量のうちの２以上の組合わせに基づいて、劣化の有無が判定される。
【００２９】
また、劣化判定部９３は、その判定結果をユーザに報知する処理を行なう。具体的には、たとえば、表示部４０に所定の情報を表示する。また／または、ＬＥＤ５０による光、あるいは、ブザー５１による警告音を発生させてもよい。これにより、ユーザは、バッテリ８２が劣化していることに気付くことができる。
【００３０】
評価部９４は、使用特性情報に基づいて、バッテリ８２の使用方法が適切であるか否かを評価する。評価には、使用特性情報の一部の情報のみが利用されてよい。評価に用いられる情報は、バッテリ８２の種類に応じて予め定められていればよい。
【００３１】
また、評価部９４は、その評価結果をユーザに報知する処理を行なう。具体的には、使用方法が適切でないと評価した場合に、推奨される使用方法を報知する。これにより、ユーザは、バッテリ８２の使用方法が適切ではなかったことに気付くことができるとともに、適切な使用方法を知ることができる。その結果、バッテリ８２の寿命を長持ちすることができる。なお、評価結果の報知に用いるデバイスも、劣化判定部９３と同様であってよい。
【００３２】
本実施の形態では、評価部９４による評価処理は、劣化判定部９３により劣化していないと判定された場合にのみ行なわれる。しかし、限定的ではなく、両処理が並行して行なわれてもよい。
【００３３】
なお、検出処理部９２、劣化判定部９３および評価部９４のうち少なくとも１つは、ハードウェアで実現されてもよい。
【００３４】
＜使用特性検出処理について＞
図３のフローチャートを参照して、使用特性検出処理について説明する。図３のフローチャートに示す処理は、予めプログラムとして記憶部６０に格納されており、ＣＰＵ９０がこのプログラムを読出して実行することにより、使用特性検出処理の機能が実現される。
【００３５】
なお、使用特性検出処理は、バッテリ８２が交換された場合、つまり、新たなバッテリが装着されたことを検知した場合に開始される。バッテリの交換の検知は、公知の手法により実現可能である。
【００３６】
初めに、検出処理部９２は、電池（バッテリ８２）交換時の記録処理を実行する（ステップＳ２）。
【００３７】
電池交換時の記録処理が終わると、検出処理部９２は、使用頻度計測処理（ステップＳ４）、充放電サイクル計測処理（ステップＳ６）、および、バッテリ駆動可能時間の減少率計測処理（ステップＳ８）を並行して実行する。これらの処理は、次にバッテリ８２が交換されるまでの間継続される。
【００３８】
以下に、検出処理部９２が実行する各処理について説明する。
（電池交換時の記録処理について）
図４を参照して、電池交換時の記録処理（図３のステップＳ２）について説明する。
【００３９】
まず、検出処理部９２は、初期化処理を実行する（ステップＳ２１）。具体的には、記憶部６０の所定の領域に記憶されるバッテリ関連情報（図７）を初期化する。
【００４０】
続いて、検出処理部９２は、計時部５２が計時している現在日時より、電池の交換日を記憶部６０に記録する（ステップＳ２２）。また、検出処理部９２は、現時点での（新品時における）電池容量を記憶部６０に記録する（ステップＳ２３）。
【００４１】
さらに、検出処理部９２は、現時点での（新品時における）バッテリ８２の駆動可能時間を記憶部６０に記録する（ステップＳ２４）。
【００４２】
この処理が終わると処理はメインルーチンに戻される。
（使用頻度計測処理について）
図５を参照して、使用頻度計測処理（図３のステップＳ４）について説明する。
【００４３】
図５は、使用頻度計測処理を示すフローチャートである。
図５を参照して、検出処理部９２は、生体情報計測部２０による生体情報の計測が行なわれたか否かを判断する（ステップＳ４１）。生体情報の計測が行なわれるまで待機する（ステップＳ４１においてＮＯ）。生体情報の計測は、電源スイッチ１０Ａが押下され、生体情報の測定開始の指示が入力された場合に実行される。
【００４４】
生体情報の計測が行なわれたと判断されると（ステップＳ４１においてＹＥＳ）、検出処理部９２は、モニタ１の使用日数をカウントし、その値を記憶部６０に記録する（ステップＳ４２）。具体的には、記憶部６０には、直前に生体情報の測定日が記憶されており、現在日が直近の測定日と異なっていれば、モニタ１の使用日数カウンタ（ＣＭ）を１だけインクリメントする。現在日が直近の測定日と同日であれば、現状の使用日数カウンタ（ＣＭ）の値を維持する。
【００４５】
このようなカウント処理が終わると、記憶部６０の測定日のデータを更新する（ステップＳ４３）。つまり、現在日が、次の処理での直近の測定日として記録される。
【００４６】
続いて、検出処理部９２は、モニタ１が商用電源８３と接続されているか否かを判断する（ステップＳ４４）。商用電源８３と接続していると判断した場合（ステップＳ４４においてＹＥＳ）、つまり、商用電源８３の電力を駆動源として生体情報が計測されている場合（充電モード）、ステップＳ４１に戻る。
【００４７】
これに対し、商用電源８３と接続されていないと判断した場合（ステップＳ４４においてＮＯ）、つまり、バッテリ８２の電力を駆動源として生体情報が計測されている場合（放電モード）、記憶部６０に記憶しているバッテリ８２の使用回数カウンタ（ＣＢ）を１だけインクリメントする（ステップＳ４５）。この処理が終わると、ステップＳ４１に戻る。
【００４８】
（充放電サイクル数計測処理について）
次に、充放電サイクル数計測処理（図３のステップＳ６）について説明する。
【００４９】
図６は、充放電サイクル数計測処理を示すフローチャートである。
図６を参照して、検出処理部９２は、電源が切替わったか否かを判断する（ステップＳ６１）。電源が切り替わったか否かの判断は、従来から行なわれているように、プラグ８がコンセント（商用電源８３）に対して抜き差しされたか否かを判断することにより実現可能である。具体的には、たとえば、電源制御部８１に商用電源８３からの電流の流れが変化したかを検出することにより判断可能である。
【００５０】
検出処理部９２は、電源の切替わりが検出されるまで待機する（ステップＳ６１においてＮＯ）。電源が切替わったと判断された場合（ステップＳ６１においてＹＥＳ）、電源が商用電源８３からバッテリ８２に切替えられたか否かが判断される（ステップＳ６２）。
【００５１】
商用電源８３からバッテリ８２に切替えられたと判断した場合（ステップＳ６２においてＹＥＳ）、つまり、プラグ８がコンセントから抜かれた場合、ステップＳ６３に進む。一方、バッテリ８２から商用電源８３に切替えられたと判断した場合（ステップＳ６２においてＮＯ）、つまり、プラグ８がコンセントに挿入された場合、ステップＳ６５に進む。
【００５２】
ステップＳ６３において、検出処理部９２は、電源が投入されたか否か、すなわち、電源スイッチ１０Ａが押下されたか否かを判断する（ステップＳ６３）。検出処理部９２は、電源が投入されるまで待機する（ステップＳ６３においてＮＯ）。
【００５３】
電源が投入されたと判断すると、または、切替えの際に電源が投入されている場合には（ステップＳ６３においてＹＥＳ）、モニタ１は「放電モード」となる。その場合、検出処理部９２は、記憶部６０に記憶している充放電サイクル数カウンタ（ＣＳ）を１だけインクリメントする（ステップＳ６４）。この処理が終わるとステップＳ６１に戻る。
【００５４】
なお、ステップＳ６３で待機している際に、電源切替が検知されると、ステップＳ６２に処理は移行されるものとする。
【００５５】
ステップＳ６５において、モニタ１は「充電モード」に移行されるため、検出処理部９２は、バッテリ８２の現在の（充電開始時の）残容量を検出し、その値を記録する。ここで記録される残容量は、バッテリ８２が新品の際の残容量に対して現在の残容量が何％であるかを示す値であると仮定する。
【００５６】
ステップＳ６４またはステップＳ６５の処理が終わると、ステップＳ６１に戻る。
なお、本実施の形態では、充電モードから放電モードへの切替わり回数をカウントすることにより、充放電サイクル数を計測することとした。しかしながら、このような形態に限定されず、たとえば、充電回数と、放電回数との両方をカウントすることで、充放電サイクル数を計測してもよい。
【００５７】
（バッテリ駆動可能時間計測処理）
最後に、バッテリ駆動可能時間の減少率計測処理（図３のステップＳ８）について簡単に説明する。
【００５８】
バッテリ駆動可能時間とは、バッテリ８２が満充電されてからバッテリロー（所定の閾値）の警告が発せられるまでにかかる時間を表わす。
【００５９】
検出処理部９２は、バッテリ８２の満充電が検知されるまで待機する。そして、満充電されたと判断した場合、駆動可能時間のカウントを開始する。当該カウントは、専用のタイマにより実現されてもよいし。満充電となった日時とバッテリーローとなった日時とに基づく計算により実現されてもよい。
【００６０】
検出処理部９２は、満充電されてから途中で充電が行なわれることなく（つまり、プラグ８がコンセントに挿入されることなく）、バッテリーローとなったかどうかを判断する。もしそうであれば、満充電となってからの経過時間を、駆動可能時間として確定する。そして、上記電池交換時の記録処理で記録された新品時の駆動可能時間と比較した減少率を算出し、記憶部６０に更新記憶する。本実施の形態では、減少率を表わす情報として、新品時に対する現在の駆動可能時間の割合（％）を算出する。
【００６１】
一方、バッテリローとなるまでの間に充電が行なわれたと判断すると、駆動可能時間の計測は中止され、待機状態となる。
【００６２】
＜データ構造例について＞
図７を参照して、記憶部６０に記憶されるバッテリ関連情報６０１の内容例について説明する。バッテリ関連情報６０１は、上述の使用特性情報を得るために必要な情報である。
【００６３】
バッテリ関連情報６０１は、電池交換時の記録処理に関連する新品情報６０２と、使用頻度計測処理に関連する頻度情報６０３と、充放電サイクル数計測処理に関連する充放電情報６０４と、バッテリ駆動可能時間の減少率計測処理に関連する駆動可能時間の減少率情報６０５とを含む。
【００６４】
図８を参照して、新品情報６０２は、交換日のデータ６０２１と、電池容量のデータ６０２２と、（最大）駆動可能時間のデータ６０２３とを含む。交換日のデータ６０２１は、図４のステップＳ２２の処理により記録される。電池容量のデータ６０２２は、図４のステップＳ２３の処理により記録される。駆動可能時間のデータ６０２３は、図４のステップＳ２４の処理により記録される。
【００６５】
図９を参照して、頻度情報６０３は、直近の測定日のデータ６０３１と、モニタ１の使用日数のデータ（カウンタＣＭ）６０３２と、バッテリ８２の使用回数のデータ（カウンタＣＢ）６０３３とを含む。直近の測定日のデータ６０３１は、図５のステップＳ４３の処理により更新記録される。モニタ１の使用日数のデータ６０３２は、図５のステップＳ４２の処理により更新記録される。バッテリ８２の使用回数のデータ６０３３は、図５のステップＳ４５の処理により更新記録される。
【００６６】
図１０を参照して、充放電情報６０４は、充放電サイクル数（カウンタＣＳ）のデータ６０４１と、充電開始時の容量の情報６０４２とを含む。充放電サイクル数のデータ６０４１は、図６のステップＳ６４の処理により更新記録される。充電開始時の容量の情報６０４２は、複数の容量データを含み、これらの容量データは、図６のステップＳ６５の処理により時系列に記録される。なお、充電開始時の容量の情報６０４２は、直近のデータのみを含んでもよい。
【００６７】
駆動可能時間の減少率情報６０５は、図３のステップＳ８で計測された直近のバッテリ駆動可能時間の減少率のデータを含む。
【００６８】
なお、バッテリ関連情報６０１のデータ構造は、上記に限定されるものではなく、本実施の形態の使用特性情報を表わす使用期間、使用頻度、充放電サイクル数、駆動可能時間の減少率、充電開始時の残容量が特定できればよい。
【００６９】
＜モニタ１の電源ＯＮ時の動作について＞
次に、図１１を参照して、電源が投入されている際のモニタ１の動作について説明する。
【００７０】
図１１のフローチャートに示す処理もまた、予めプログラムとして記憶部６０に格納されており、ＣＰＵ９０がこのプログラムを読出して実行することにより、その機能が実現される。
【００７１】
ユーザにより電源スイッチ１０Ａが押下されると、初めに、バッテリ８２の劣化具合などを報知するための報知処理が実行される（ステップＳ１０２）。
【００７２】
その後、図示しない測定スイッチが押下されると（ステップＳ１０４においてＹＥＳ）、生体情報の計測が実行される（ステップＳ１０６）。生体状態の計測は、公知の技術で行なわれてよい。
【００７３】
次に、図示しない停止スイッチが押下されたか否かを判断する（ステップＳ１０８）。停止スイッチが押下されるまで生体情報の計測が実行される（ステップＳ１０８においてＮＯ）。停止スイッチが押下されると、電源が切断され、この処理は終了される。
【００７４】
（報知処理について）
本実施の形態における報知処理（図１１のステップＳ１０２）について、説明する。
【００７５】
以下の説明では、本実施の形態におけるバッテリ８２が、リチウム電池であると仮定する。なお、その場合、使用特性情報には、バッテリ８２の充電開始時の残容量は含まれなくてもよい。したがって、検出処理部９２は、バッテリ８２がリチウム電池である場合には、図６のステップＳ６５の処理を行なわなくてもよい。
【００７６】
なお、バッテリ８２の種類の情報は、記憶部６０に予め格納されているものとする。これにより、ＣＰＵ９０は、バッテリ８２の種類を検出することができる。
【００７７】
図１２のフローチャートを参照して、初めに、記憶部６０に記憶されていたバッテリ関連情報６０１より、使用特性情報の特定に必要な情報が読出される（ステップＳ２０２）。具体的には、モニタ使用日数、電池交換日、バッテリ使用回数、充放電サイクル数、新品時および直近の駆動可能時間の減少率のデータを読出す。モニタ使用日数およびバッテリ使用回数のデータは、頻度情報６０３に含まれている。電池交換日は、新品情報６０２に含まれている、充放電サイクル数は、充放電情報６０４に含まれている。駆動可能時間の減少率は、駆動可能時間の減少率情報６０５に含まれている。
【００７８】
続いて、劣化判定部９３は、計時部５２が計測している現在日時と、読出した電池交換日とにより、バッテリ８２の使用期間を計算する。そして、たとえば２年以上、現在のバッテリ８２を使用しているか否かを判断する（ステップＳ２０４）。
【００７９】
使用期間が２年以上であると判断した場合（ステップＳ２０４においてＹＥＳ）、ステップＳ２１２に進む。使用期間が２年未満であると判断した場合（ステップＳ２０４においてＮＯ）、ステップＳ２０６に進む。
【００８０】
ステップＳ２０６において、劣化判定部９３は、バッテリ８２の使用期間がたとえば１年以上経過している場合、読出したモニタ使用日数およびバッテリ使用回数に基づいて、使用頻度が極端に少ないか否かを判断する。具体的には、たとえば、モニタ使用日数が１年に１００日以上であり、かつ、バッテリ使用回数が１年に１０回以下であるか否かを判断する。この条件を満たしていると判断した場合（ステップＳ２０６においてＹＥＳ）、ステップＳ２１２に進む。一方、この条件を満たしていないと判断した場合（ステップＳ２０６においてＮＯ）、ステップＳ２０８に進む。
【００８１】
なお、本実施の形態では、バッテリ８２の使用頻度をモニタ使用日数とバッテリ使用回数とに基づいて算出したが、限定的ではない。たとえば、生体情報の測定回数とバッテリ使用回数とに基づいて使用頻度が算出されてもよい。
【００８２】
ステップＳ２０８において、劣化判定部９３は、バッテリ８２についての充放電サイクル数がたとえば５００回以上であるか否かを判断する。充放電サイクル数が５００回以上であると判断した場合（ステップＳ２０８においてＹＥＳ）、ステップＳ２１２に進む。一方、充放電サイクル数が５００回未満であると判断した場合（ステップＳ２０８においてＮＯ）、ステップＳ２１０に進む。
【００８３】
ステップＳ２１０において、劣化判定部９３は、駆動可能時間が新品時のたとえば６０％以下であるか否かを判断する。つまり、駆動可能時間の減少率が、新品時と比較して４０％を越えているか否かが判断される。駆動可能時間が新品時の６０％以下であると判断した場合（ステップＳ２１０においてＹＥＳ）、ステップＳ２１２に進む。一方、駆動可能時間が新品時の６０％を超えていると判断した場合（ステップＳ２１０においてＮＯ）、ステップＳ２１４に進む。
【００８４】
ステップＳ２１２において、劣化判定部９３は、ユーザにバッテリ８２が劣化していることを通知する。具体的には、たとえば、表示部４０に、図１３に示すようなメッセージ４０１を表示する。メッセージ４０１は、「バッテリが劣化している可能性があります。早めの交換をお勧め致します。」というものである。
【００８５】
ステップＳ２１４において、評価部９４は、バッテリ８２の使用方法が適切であるか否かを評価する。リチウム電池の場合、使用頻度が極端に少ない場合、劣化を早めてしまうという特性がある。そのため、本実施の形態では、使用頻度が極端に少ない場合には適切な使用方法でないと評価する。
【００８６】
具体的には、たとえば、モニタ使用日数が１月に１０日以上であり、かつ、バッテリ使用回数が１月に１回以下であるか否かを判断する。この条件を満たしていると判断した場合（ステップＳ２１４においてＹＥＳ）、バッテリの使用頻度が少なすぎるため、評価部９４は、バッテリ使用を推奨する通知を行なう（ステップＳ２１６）。ステップＳ２１４における条件を満たしていないと判断した場合（ステップＳ２１４においてＮＯ）、この処理は終了される。
【００８７】
図１２のステップＳ２１６での通知例を図１４に示す。
図１４を参照して、表示部４０には、メッセージ４０２が表示される。メッセージ４０２は、「バッテリの使用頻度が少ないため、バッテリ動作でのご使用をお勧め致します。バッテリのご使用回数を増やすことでバッテリを長持ちさせることが出来ます。」というものである。
【００８８】
上述のように、本実施の形態によると、ユーザ（看護師や医師などの医療従事者）がバッテリ８２の劣化を早めてしまうような使い方をしている場合には、推奨する使用方法をユーザにアドバイスする。これにより、バッテリ８２の早期劣化を防ぐ効果が得られる。
【００８９】
また、バッテリ８２が劣化してきていることを、上記のような使用特性情報により判定する。そのため、ユーザによるバッテリ８２の使用の仕方に応じて、柔軟にバッテリ８２の劣化の有無を判定することができる。また、その判定結果をユーザに報知することで、バッテリの交換時期を認識させ、新品と交換、もしくは予備のバッテリの準備を促すことができる。
【００９０】
また、電源を投入直後に、上述のような報知処理を行なうので、ユーザは高い確率でメッセージを確認することができる。これにより、緊急時の対応にも、バッテリ８２が測定開始後すぐに使用できなくなるということがなくなり、患者の安全を守ることができる。その結果、医療事故を防ぐという効果が得られる。
【００９１】
＜変形例１＞
次に、本実施の形態の変形例１について説明する。上記実施の形態と本変形例との構成上の相違点は、バッテリ８２がリチウム電池ではなくニッケル水素電池である点のみである。
【００９２】
本変形例における使用特性情報検出処理は、上記実施の形態と同様である。以下に、図１５のフローチャートを参照して、本実施の形態の変形例１における報知処理について説明する。
【００９３】
なお、図１５において、上述の図１２のフローチャートの処理と同様の処理については同じステップ番号を付してある。そのため、それらについての説明はここでは繰返さない。
【００９４】
本変形例では、上記実施の形態と比較すると、図１２のステップＳ２０２、Ｓ２１４およびＳ２１６に代えて、ステップＳ２０２Ａ、Ｓ２１４ＡおよびＳ２１６Ａの処理が実行される。
【００９５】
ステップＳ２０２Ａにおいて、上記実施の形態で読出したデータに加え、充電開始時の残容量（％）がさらに読出される。
【００９６】
ステップＳ２１４Ａでは、評価部９４は、充電開始時の残容量がたとえば７０％以上であるか否かを判断する。具体的には、たとえば、直近の残容量が７０％以上であるか否かを判断してよい。あるいは、過去の充電開始時の残容量の平均値が７０％以上であるか否かを判断してもよい。あるいは、７０％以上の残容量のデータが所定数（たとえば５個）以上あるかどうかを判断してもよい。
【００９７】
充電開始時の残容量が７０％以上と判断された場合（ステップＳ２１４ＡにおいてＹＥＳ）、ステップＳ２１６Ａに進む。そうでなければ、報知処理は終了される。
【００９８】
ステップＳ２１６Ａでは、評価部９４は、ユーザに適切な（推奨の）放電方法を通知する。具体的には、たとえば、図１６のメッセージ４０３が表示部４０に表示される。メッセージ４０３は、「バッテリ駆動時間が○時間以上ご使用になられてからの充電をお勧め致します。そうすることでバッテリを長持ちさせることが出来ます。」というものである。
【００９９】
バッテリ８２がニッケル水素電池の場合、メモリ効果（放電途中で充電すると使える量が減っていく特性）がある。本変形例では、残容量が十分残っている状態で充電が行なわれいるかどうかを判断し、もしそうであれば、適切な使用方法（推奨の充電方法）をユーザに通知する。これにより、上記実施の形態と同様の効果を得ることができる。
【０１００】
＜変形例２＞
次に、本実施の形態の変形例２について説明する。上記実施の形態と本変形例との構成上の相違点は、バッテリ８２がリチウム電池ではなく鉛蓄電池である点のみである。
【０１０１】
本変形例における使用特性情報検出処理も、上記実施の形態と同様である。以下に、図１７のフローチャートを参照して、本実施の形態の変形例２における報知処理について説明する。
【０１０２】
なお、図１７において、上述の図１２のフローチャートの処理と同様の処理については同じステップ番号を付してある。そのため、それらについての説明はここでは繰返さない。
【０１０３】
本変形例では、上記実施の形態と比較すると、図１２のステップＳ２０２、Ｓ２０８、Ｓ２１４、およびＳ２１６に代えて、ステップＳ２０２Ａ、Ｓ２０８Ｂ、Ｓ２１４ＢおよびＳ２１６Ｂが実行される。ステップＳ２０２Ａの処理は、上述の変形例１における処理と同様であるため、説明は繰返さない。
【０１０４】
ステップＳ２０８Ｂにおいて、劣化判定部９３は、充放電サイクル数がたとえば３００回以上であるか否かを判断する。このように、鉛蓄電池は、リチウム電池やニッケル水素電池に比べて、充放電の繰り返しによる劣化の進行が早い。したがって、本変形例では、上記実施の形態やその変形例１と比較して、劣化判定に用いる充放電サイクル数を少なくしている。
【０１０５】
ステップＳ２１４Ｂでは、評価部９４は、充電開始時の残容量が２０％未満か否かを判断する。ここでの判断も、変形例１と同様に、たとえば、直近の残容量が２０％未満であるか否かを判断してよい。
【０１０６】
ステップＳ２１６Ｂでは、上記変形例１と同様に、ユーザに適切な（推奨の）充放電方法を通知する。具体的には、たとえば、図１８のメッセージ４０４を表示部４０に表示する。メッセージ４０４は、「バッテリ駆動時間が○時間以内のご使用で充電されることをお勧め致します。そうすることでバッテリを長持ちさせることが出来ます。」というものである。
【０１０７】
バッテリ８２が鉛蓄電池の場合、電池容量を使い切ってからの充電を繰返すと、劣化の進行が早い（使える量が減っていく）。本変形例では、残容量が少なくなってから充電が行なわれいるかどうかを判断し、もしそうであれば、適切な使用方法（推奨の充電方法）をユーザに通知する。これにより、上記実施の形態と同様の効果を得ることができる。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０９】
１  生体情報モニタ、２  電極、３  センサ、４  体温プローブ、５  腕帯、８  プラグ、１０  操作部、１０Ａ  電源スイッチ、２０  生体情報計測部、２１  血圧計測部、２２  酸素飽和度計測部、２３  心電計測部、２４  体温計測部、４０  表示部、５１  ブザー、５２  計時部、６０  記憶部、７０  通信部、８０  電源部、８１  電源制御部、８２  バッテリ、８３  商用電源、９０  ＣＰＵ、９２  検出処理部、９３  劣化判定部、９４  評価部。
【図１】
2010200896.tif 000003
【図２】
2010200896.tif 000004
【図３】
2010200896.tif 000005
【図４】
2010200896.tif 000006
【図５】
2010200896.tif 000007
【図６】
2010200896.tif 000008
【図７】
2010200896.tif 000009
【図８】
2010200896.tif 000010
【図９】
2010200896.tif 000011
【図１０】
2010200896.tif 000012
【図１１】
2010200896.tif 000013
【図１２】
2010200896.tif 000014
【図１３】
2010200896.tif 000015
【図１４】
2010200896.tif 000016
【図１５】
2010200896.tif 000017
【図１６】
2010200896.tif 000018
【図１７】
2010200896.tif 000019
【図１８】
2010200896.tif 000020